(57)【要約】【課題】電子マネー記録媒体による店舗での決済時において、決済終了時に従来の決済終了確認音の代わりに広告サウンドデータを出力する。【解決手段】広告仲介サーバ３０が店舗対応に登録した広告サウンドデータと有効期間を該当店舗の店舗端末２０に配信し、店舗端末２０が有効期間を基に年月日別に出力可能な広告サウンドデータを保存し、同じ年月日に出力可能な広告サウンドデータが複数ある場合に、各広告サウンドデータの順序付けを行って出力ローテーションを生成，登録し、商品販売時に店舗端末２０がユーザ所有の電子マネー記録媒体から残高を読み取り、読み取った残高から決済金額を差し引き決済後の残高を算出し、決済後の残高を電子マネー記録媒体に上書きし、決済後残高の上書きが終了したときに店舗端末２０が決済当日に出力可能な広告サウンドデータを出力ローテーションに基づいて取得，出力する。【選択図】      図１
2007241708.tif 000002
【特許請求の範囲】
【請求項１】
各店舗向けの広告サウンドデータを登録，配信する広告仲介サーバと、前記広告仲介サーバから受信した広告サウンドデータを保存し、電子決済終了時に前記保存された広告サウンドデータを出力することにより決済終了を報知する店舗端末とを有することを特徴とする広告サウンドデータを用いた電子決済システム。
【請求項２】
ネットワークを介して接続される広告仲介サーバと店舗端末とを備えた広告サウンドデータを用いた電子決済システムであって、
前記広告仲介サーバは、広告サウンドデータを店舗に対応付けて登録する登録手段と、登録された広告サウンドデータを該当店舗の前記店舗端末に配信する配信手段とを有し、
前記店舗端末は、前記広告仲介サーバから受信した広告サウンドデータを保存する保存手段と、ユーザによる商品購入時にユーザ所有の電子マネー記録媒体から電子マネー残高を読み取る読み取り手段と、読み取った電子マネー残高から決済金額を差し引き決済後の電子マネー残高を算出する算出手段と、決済後の電子マネー残高を前記電子マネー記録媒体に上書きする書き込み手段と、前記書き込み手段による決済後残高の上書きが終了したときに前記保存手段に保存された広告サウンドデータを取得，出力することにより決済終了を報知する出力手段とを有することを特徴とする広告サウンドデータを用いた電子決済システム。
【請求項３】
前記店舗端末の保存手段は保存された広告サウンドデータが複数ある場合に各広告サウンドデータの順序付けを行って出力ローテーションを生成，登録し、前記出力手段は決済終了の度に前記出力ローテーションに基づいた広告サウンドデータを前記保存手段から取得，出力することを特徴とする請求項２記載の広告サウンドデータを用いた電子決済システム。
【請求項４】
前記広告仲介サーバの登録手段は広告サウンドデータを登録するときに有効期間を併せて登録し、前記配信手段は前記店舗端末に広告サウンドデータを配信するときに有効期間を併せて配信し、前記店舗端末の保存手段は有効期間を基に年月日別に出力可能な広告サウンドデータを保存し、前記出力手段は決済終了の度に決済当日に出力可能な広告サウンドデータを前記保存手段から取得，出力することを特徴とする請求項２記載の広告サウンドデータを用いた電子決済システム。
【請求項５】
前記広告仲介サーバの登録手段は広告サウンドデータを登録するときに有効期間を併せて登録し、前記配信手段は前記店舗端末に広告サウンドデータを配信するときに有効期間を併せて配信し、前記店舗端末の保存手段は、有効期間を基に年月日別に出力可能な広告サウンドデータを保存し、同じ年月日に出力可能な広告サウンドデータが複数ある場合に、各広告サウンドデータの順序付けを行って出力ローテーションを生成，登録し、前記出力手段は決済終了の度に決済当日に出力可能な広告サウンドデータを前記出力ローテーションに基づいて前記保存手段から取得，出力することを特徴とする請求項２記載の広告サウンドデータを用いた電子決済システム。
【請求項６】
ネットワークを介して接続される広告仲介サーバと店舗サーバと店舗端末とを備えた広告サウンドデータを用いた電子決済システムであって、
前記広告仲介サーバは、広告サウンドデータを店舗に対応付けて登録する登録手段と、登録された広告サウンドデータを該当店舗の前記店舗サーバに配信する配信手段とを有し、
前記店舗サーバは、前記広告仲介サーバから受信した広告サウンドデータを保存する保存手段と、前記店舗端末から広告サウンドデータの要求があったときに前記保存手段から取得して前記店舗端末に送信する送信手段とを有し、
前記店舗端末は、ユーザによる商品購入時にユーザ所有の電子マネー記録媒体から電子マネー残高を読み取る読み取り手段と、読み取った電子マネー残高から決済金額を差し引き決済後の電子マネー残高を算出する算出手段と、決済後の電子マネー残高を前記電子マネー記録媒体に上書きする書き込み手段と、前記書き込み手段による決済後残高の上書きが終了したときに前記店舗サーバに広告サウンドデータを要求する要求手段と、前記店舗サーバから受信した広告サウンドデータを出力することにより決済終了を報知する出力手段とを有することを特徴とする広告サウンドデータを用いた電子決済システム。
【請求項７】
前記店舗サーバの保存手段は、保存された広告サウンドデータが複数ある場合に、各広告サウンドデータの順序付けを行って出力ローテーションを生成，登録し、前記送信手段は、前記店舗端末から広告サウンドデータの要求があったときに前記出力ローテーションに基づいた広告サウンドデータを取得，送信することを特徴とする請求項６記載の広告サウンドデータを用いた電子決済システム。
【請求項８】
前記広告仲介サーバの登録手段は広告サウンドデータを登録するときに有効期間を併せて登録し、前記配信手段は前記店舗サーバに広告サウンドデータを配信するときに有効期間を併せて配信し、前記店舗サーバの保存手段は有効期間を基に年月日別に出力可能な広告サウンドデータを保存し、前記送信手段は前記店舗端末から広告サウンドデータの要求があったときに当日に出力可能な広告サウンドデータを前記保存手段から取得，送信することを特徴とする請求項６記載の広告サウンドデータを用いた電子決済システム。
【請求項９】
前記広告仲介サーバの登録手段は広告サウンドデータを登録するときに有効期間を併せて登録し、前記配信手段は前記店舗サーバに広告サウンドデータを配信するときに有効期間を併せて配信し、前記店舗サーバの保存手段は、有効期間を基に年月日別に出力可能な広告サウンドデータを保存し、同じ年月日に出力可能な広告サウンドデータが複数ある場合に、各広告サウンドデータの順序付けを行って出力ローテーションを生成，登録し、前記送信手段は前記店舗端末から要求のあった当日に出力可能な広告サウンドデータを前記出力ローテーションに基づいて前記保存手段から取得し前記店舗端末に送信することを特徴とする請求項６記載の広告サウンドデータを用いた電子決済システム。
【請求項１０】
前記店舗端末は、前記書き込み手段による決済後残高の上書きが終了したときに決済終了情報を視認可能に表示する表示手段を、さらに有することを特徴とする請求項２〜９のいずれか１項記載の広告サウンドデータを用いた電子決済システム。
【請求項１１】
前記店舗端末の出力手段は、広告サウンドデータを出力するときに、所定の電子音に続けて出力することを特徴とする請求項２〜１０のいずれか１項記載の広告サウンドデータを用いた電子決済システム。
【請求項１２】
ネットワークを介して広告仲介サーバと接続される店舗端末であって、
前記広告仲介サーバから受信した広告サウンドデータを保存する保存手段と、ユーザによる商品購入時にユーザ所有の電子マネー記録媒体から電子マネー残高を読み取る読み取り手段と、読み取った電子マネー残高から決済金額を差し引き決済後の電子マネー残高を算出する算出手段と、決済後の電子マネー残高を前記電子マネー記録媒体に上書きする書き込み手段と、前記書き込み手段による決済後残高の上書きが終了したときに前記保存手段に保存された広告サウンドデータを取得，出力することにより決済終了を報知する出力手段とを有することを特徴とする店舗端末。
【請求項１３】
前記保存手段は保存された広告サウンドデータが複数ある場合に各広告サウンドデータの順序付けを行って出力ローテーションを生成，登録し、前記出力手段は決済終了の度に前記出力ローテーションに基づいた広告サウンドデータを前記保存手段から取得，出力することを特徴とする請求項１２記載の店舗端末。
【請求項１４】
前記保存手段は前記広告仲介サーバから広告サウンドデータとともに受信した有効期間を基に年月日別に出力可能な広告サウンドデータを保存し、前記出力手段は決済終了の度に決済当日に出力可能な広告サウンドデータを前記保存手段から取得，出力することを特徴とする請求項１２記載の店舗端末。
【請求項１５】
前記保存手段は、前記広告仲介サーバから広告サウンドデータとともに受信した有効期間を基に年月日別に出力可能な広告サウンドデータを保存し、同じ年月日に出力可能な広告サウンドデータが複数ある場合に、各広告サウンドデータの順序付けを行って出力ローテーションを生成，登録し、前記出力手段は決済終了の度に決済当日に出力可能な広告サウンドデータを前記出力ローテーションに基づいて前記保存手段から取得，出力することを特徴とする請求項１２記載の店舗端末。
【請求項１６】
前記書き込み手段による決済後残高の上書きが終了したときに決済終了情報を視認可能に表示する表示手段を、さらに有することを特徴とする請求項１２〜１５のいずれか１項記載の店舗端末。
【請求項１７】
前記出力手段は、広告サウンドデータを出力するときに、所定の電子音に続けて出力することを特徴とする請求項１２〜１６のいずれか１項記載の店舗端末。
【請求項１８】
ネットワークを介して接続される広告仲介サーバと店舗端末とを用いた広告サウンドデータを用いた電子決済方法であって、
前記広告仲介サーバが広告サウンドデータを店舗に対応付けて登録し、登録された広告サウンドデータを該当店舗の前記店舗端末に配信するステップと、前記店舗端末が前記広告仲介サーバから受信した広告サウンドデータを保存するステップと、ユーザによる商品購入時に前記店舗端末がユーザ所有の電子マネー記録媒体から電子マネー残高を読み取るステップと、前記店舗端末が読み取った電子マネー残高から決済金額を差し引き決済後の電子マネー残高を算出するステップと、決済後の電子マネー残高を前記店舗端末が前記電子マネー記録媒体に上書きするステップと、決済後残高の上書きが終了したときに前記店舗端末が保存された広告サウンドデータを取得，出力するステップとを有することを特徴とする広告サウンドデータを用いた電子決済方法。
【請求項１９】
ネットワークを介して接続される広告仲介サーバと店舗端末とを用いた広告サウンドデータを用いた電子決済方法であって、
前記広告仲介サーバが広告サウンドデータと有効期間を店舗に対応付けて登録し、登録された広告サウンドデータと有効期間を該当店舗の前記店舗端末に配信するステップと、前記店舗端末が広告サウンドデータとともに受信した有効期間を基に年月日別に出力可能な広告サウンドデータを保存するステップと、同じ年月日に出力可能な広告サウンドデータが複数ある場合に、前記店舗端末が各広告サウンドデータの順序付けを行って出力ローテーションを生成，登録するステップと、ユーザによる商品購入時に前記店舗端末がユーザ所有の電子マネー記録媒体から電子マネー残高を読み取るステップと、前記店舗端末が読み取った電子マネー残高から決済金額を差し引き決済後の電子マネー残高を算出するステップと、決済後の電子マネー残高を前記店舗端末が前記電子マネー記録媒体に上書きするステップと、決済後残高の上書きが終了したときに、前記店舗端末が決済当日に出力可能な広告サウンドデータを前記出力ローテーションに基づいて取得，出力するとともに、決済終了情報を視認可能に表示するステップとを有することを特徴とする広告サウンドデータを用いた電子決済方法。
【請求項２０】
外部装置から受信した広告サウンドデータを保存する機能、ユーザによる商品購入時にユーザ所有の電子マネー記録媒体から電子マネー残高を読み取る機能、読み取った電子マネー残高から決済金額を差し引き決済後の電子マネー残高を算出する機能、決済後の電子マネー残高を前記電子マネー記録媒体に上書きする機能、前記書き込み手段による決済後残高の上書きが終了したときに保存された広告サウンドデータを取得，出力する機能、をコンピュータに実現させるためのプログラム。
【請求項２１】
外部装置から広告サウンドデータとともに受信した有効期間を基に年月日別に出力可能な広告サウンドデータを保存する機能、同じ年月日に出力可能な広告サウンドデータが複数ある場合に、各広告サウンドデータの順序付けを行って出力ローテーションを生成，登録する機能、ユーザによる商品購入時にユーザ所有の電子マネー記録媒体から電子マネー残高を読み取る機能、読み取った電子マネー残高から決済金額を差し引き決済後の電子マネー残高を算出する機能、決済後の電子マネー残高を前記電子マネー記録媒体に上書きする機能、決済後残高の上書きが終了したときに、決済当日に出力可能な広告サウンドデータを前記出力ローテーションに基づいて取得，出力するとともに、決済終了情報を視認可能に表示する機能、をコンピュータに実現させるためのプログラム。
【発明の詳細な説明】
【技術分野】
【０００１】
本発明は、電子マネー等による電子決済時の決済終了確認音に着目した広告サウンドデータを用いた電子決済システム，方法，店舗端末およびプログラムに関する。
【背景技術】
【０００２】
現在、ＩＣカードやＩＣカード内蔵の携帯端末等を用いることで、コンビニエンスストア等の店舗において電子マネーによる電子決済が可能となっている。
【０００３】
この電子決済の一例が、特開２００５−２０２８５６号公報（特許文献１）に開示されている。この特許文献１においては、
・非接触型端末装置がユーザのＩＣカードから非接触通信により貯蓄金額を読み取って、別途入力，算出された決済金額を貯蓄金額から差し引き、
・決済金額が差し引かれた決済後の金額を新たな貯蓄金額としてＩＣカードに上書きし、・電子決済が正常に終了したことを知らせるためにスピーカから決済正常音を出力する、ことが記載されている。そして、ユーザは決済正常音を聞くことにより決済の終了を認識している。
【０００４】
【特許文献１】特開２００５−２０２８５６号公報（段落「００３４」〜「００３５」、図７）
【発明の開示】
【発明が解決しようとする課題】
【０００５】
上述した特許文献１においては、決済終了の確認のために出力される決済正常音は予め定められた一種類の音（例えば、シャリーン、等）であり、全てのユーザに対して同じ音が出力されている。この決済正常音は各ユーザによる電子決済の度に出力され、ユーザのみならず周辺に居る人にも聞こえるため、広告情報を決済正常音の代わりに、または、広告情報を決済正常音と併せて出力すれば高い広告効果が期待できる。しかし、電子決済の場面において、広告情報を決済正常音として、または、決済正常音とともに出力するような電子決済システムは未だ実現されていない。
【０００６】
本発明の目的は、以上の課題を解決する広告サウンドデータを用いた電子決済システム，方法，店舗端末およびプログラムを提供することにある。
【課題を解決するための手段】
【０００７】
本発明の第１の広告サウンドデータを用いた電子決済システムは、各店舗向けの広告サウンドデータを登録，配信する広告仲介サーバと、前記広告仲介サーバから受信した広告サウンドデータを保存し、保存された広告サウンドデータを電子マネー記録媒体による決済終了時に出力する店舗端末とを有する。
【０００８】
本発明の第２の広告サウンドデータを用いた電子決済システムは、ネットワークを介して接続される広告仲介サーバと店舗端末とを備えた広告サウンドデータを用いた電子決済システムであって、
前記広告仲介サーバは、広告サウンドデータを店舗に対応付けて登録する登録手段と、登録された広告サウンドデータを該当店舗の前記店舗端末に配信する配信手段とを有し、
前記店舗端末は、前記広告仲介サーバから受信した広告サウンドデータを保存する保存手段と、ユーザによる商品購入時にユーザ所有の電子マネー記録媒体から電子マネー残高を読み取る読み取り手段と、読み取った電子マネー残高から決済金額を差し引き決済後の電子マネー残高を算出する算出手段と、決済後の電子マネー残高を前記電子マネー記録媒体に上書きする書き込み手段と、前記書き込み手段による決済後残高の上書きが終了したときに前記保存手段に保存された広告サウンドデータを取得，出力することにより決済終了を報知する出力手段とを有する。
【０００９】
本発明の第３の広告サウンドデータを用いた電子決済システムは、本発明の第２の広告サウンドデータを用いた電子決済システムにおいて、前記店舗端末の保存手段は保存された広告サウンドデータが複数ある場合に各広告サウンドデータの順序付けを行って出力ローテーションを生成，登録し、前記出力手段は決済終了の度に前記出力ローテーションに基づいた広告サウンドデータを前記保存手段から取得，出力することを特徴とする。
【００１０】
本発明の第４の広告サウンドデータを用いた電子決済システムは、本発明の第２の広告サウンドデータを用いた電子決済システムにおいて、前記広告仲介サーバの登録手段は広告サウンドデータを登録するときに有効期間を併せて登録し、前記配信手段は前記店舗端末に広告サウンドデータを配信するときに有効期間を併せて配信し、前記店舗端末の保存手段は有効期間を基に年月日別に出力可能な広告サウンドデータを保存し、前記出力手段は決済終了の度に決済当日に出力可能な広告サウンドデータを前記保存手段から取得，出力することを特徴とする。
【００１１】
本発明の第５の広告サウンドデータを用いた電子決済システムは、本発明の第２の広告サウンドデータを用いた電子決済システムにおいて、前記広告仲介サーバの登録手段は広告サウンドデータを登録するときに有効期間を併せて登録し、前記配信手段は前記店舗端末に広告サウンドデータを配信するときに有効期間を併せて配信し、前記店舗端末の保存手段は、有効期間を基に年月日別に出力可能な広告サウンドデータを保存し、同じ年月日に出力可能な広告サウンドデータが複数ある場合に、各広告サウンドデータの順序付けを行って出力ローテーションを生成，登録し、前記出力手段は決済終了の度に決済当日に出力可能な広告サウンドデータを前記出力ローテーションに基づいて前記保存手段から取得，出力することを特徴とする。
【００１２】
本発明の第６の広告サウンドデータを用いた電子決済システムは、ネットワークを介して接続される広告仲介サーバと店舗サーバと店舗端末とを備えた広告サウンドデータを用いた電子決済システムであって、
前記広告仲介サーバは、広告サウンドデータを店舗に対応付けて登録する登録手段と、登録された広告サウンドデータを該当店舗の前記店舗サーバに配信する配信手段とを有し、
前記店舗サーバは、前記広告仲介サーバから受信した広告サウンドデータを保存する保存手段と、前記店舗端末から広告サウンドデータの要求があったときに前記保存手段から取得して前記店舗端末に送信する送信手段とを有し、
前記店舗端末は、ユーザによる商品購入時にユーザ所有の電子マネー記録媒体から電子マネー残高を読み取る読み取り手段と、読み取った電子マネー残高から決済金額を差し引き決済後の電子マネー残高を算出する算出手段と、決済後の電子マネー残高を前記電子マネー記録媒体に上書きする書き込み手段と、前記書き込み手段による決済後残高の上書きが終了したときに前記店舗サーバに広告サウンドデータを要求する要求手段と、前記店舗サーバから受信した広告サウンドデータを出力することにより決済終了を報知する出力手段とを有する。
【００１３】
本発明の第７の広告サウンドデータを用いた電子決済システムは、本発明の第６の広告サウンドデータを用いた電子決済システムにおいて、前記店舗サーバの保存手段は、保存された広告サウンドデータが複数ある場合に、各広告サウンドデータの順序付けを行って出力ローテーションを生成，登録し、前記送信手段は、前記店舗端末から広告サウンドデータの要求があったときに前記出力ローテーションに基づいた広告サウンドデータを取得，送信することを特徴とする。
【００１４】
本発明の第８の広告サウンドデータを用いた電子決済システムは、本発明の第６の広告サウンドデータを用いた電子決済システムにおいて、前記広告仲介サーバの登録手段は広告サウンドデータを登録するときに有効期間を併せて登録し、前記配信手段は前記店舗サーバに広告サウンドデータを配信するときに有効期間を併せて配信し、前記店舗サーバの保存手段は有効期間を基に年月日別に出力可能な広告サウンドデータを保存し、前記送信手段は前記店舗端末から広告サウンドデータの要求があったときに当日に出力可能な広告サウンドデータを前記保存手段から取得，送信することを特徴とする。
【００１５】
本発明の第９の広告サウンドデータを用いた電子決済システムは、本発明の第６の広告サウンドデータを用いた電子決済システムにおいて、前記広告仲介サーバの登録手段は広告サウンドデータを登録するときに有効期間を併せて登録し、前記配信手段は前記店舗サーバに広告サウンドデータを配信するときに有効期間を併せて配信し、前記店舗サーバの保存手段は、有効期間を基に年月日別に出力可能な広告サウンドデータを保存し、同じ年月日に出力可能な広告サウンドデータが複数ある場合に、各広告サウンドデータの順序付けを行って出力ローテーションを生成，登録し、前記送信手段は前記店舗端末から要求のあった当日に出力可能な広告サウンドデータを前記出力ローテーションに基づいて前記保存手段から取得し前記店舗端末に送信することを特徴とする。
【００１６】
本発明の第１０の広告サウンドデータを用いた電子決済システムは、本発明の第２〜第９のいずれかの広告サウンドデータを用いた電子決済システムにおいて、前記店舗端末は、前記書き込み手段による決済後残高の上書きが終了したときに決済終了情報を視認可能に表示する表示手段を、さらに有する。
【００１７】
本発明の第１１の広告サウンドデータを用いた電子決済システムは、本発明の第２〜第１０のいずれかの広告サウンドデータを用いた電子決済システムにおいて、前記店舗端末の出力手段は、広告サウンドデータを出力するときに、所定の電子音に続けて出力することを特徴とする。
【００１８】
本発明の第１の店舗端末は、ネットワークを介して広告仲介サーバと接続される店舗端末であって、
前記広告仲介サーバから受信した広告サウンドデータを保存する保存手段と、ユーザによる商品購入時にユーザ所有の電子マネー記録媒体から電子マネー残高を読み取る読み取り手段と、読み取った電子マネー残高から決済金額を差し引き決済後の電子マネー残高を算出する算出手段と、決済後の電子マネー残高を前記電子マネー記録媒体に上書きする書き込み手段と、前記書き込み手段による決済後残高の上書きが終了したときに前記保存手段に保存された広告サウンドデータを取得，出力することにより決済終了を報知する出力手段とを有する。
【００１９】
本発明の第２の店舗端末は、本発明の第１の店舗端末において、前記保存手段は保存された広告サウンドデータが複数ある場合に各広告サウンドデータの順序付けを行って出力ローテーションを生成，登録し、前記出力手段は決済終了の度に前記出力ローテーションに基づいた広告サウンドデータを前記保存手段から取得，出力することを特徴とする。
【００２０】
本発明の第３の店舗端末は、本発明の第１の店舗端末において、前記保存手段は前記広告仲介サーバから広告サウンドデータとともに受信した有効期間を基に年月日別に出力可能な広告サウンドデータを保存し、前記出力手段は決済終了の度に決済当日に出力可能な広告サウンドデータを前記保存手段から取得，出力することを特徴とする。
【００２１】
本発明の第４の店舗端末は、本発明の第１の店舗端末において、前記保存手段は、前記広告仲介サーバから広告サウンドデータとともに受信した有効期間を基に年月日別に出力可能な広告サウンドデータを保存し、同じ年月日に出力可能な広告サウンドデータが複数ある場合に、各広告サウンドデータの順序付けを行って出力ローテーションを生成，登録し、前記出力手段は決済終了の度に決済当日に出力可能な広告サウンドデータを前記出力ローテーションに基づいて前記保存手段から取得，出力することを特徴とする。
【００２２】
本発明の第５の店舗端末は、本発明の第１〜第４のいずれかの店舗端末において、前記書き込み手段による決済後残高の上書きが終了したときに決済終了情報を視認可能に表示する表示手段を、さらに有する。
【００２３】
本発明の第６の店舗端末は、本発明の第１〜第５のいずれかの店舗端末において、前記出力手段は、広告サウンドデータを出力するときに、所定の電子音に続けて出力することを特徴とする。
【００２４】
本発明の第１の広告サウンドデータを用いた電子決済方法は、ネットワークを介して接続される広告仲介サーバと店舗端末とを用いた広告サウンドデータを用いた電子決済方法であって、
前記広告仲介サーバが広告サウンドデータを店舗に対応付けて登録し、登録された広告サウンドデータを該当店舗の前記店舗端末に配信するステップと、前記店舗端末が前記広告仲介サーバから受信した広告サウンドデータを保存するステップと、ユーザによる商品購入時に前記店舗端末がユーザ所有の電子マネー記録媒体から電子マネー残高を読み取るステップと、前記店舗端末が読み取った電子マネー残高から決済金額を差し引き決済後の電子マネー残高を算出するステップと、決済後の電子マネー残高を前記店舗端末が前記電子マネー記録媒体に上書きするステップと、決済後残高の上書きが終了したときに前記店舗端末が保存された広告サウンドデータを取得，出力するステップとを有する。
【００２５】
本発明の第２の広告サウンドデータを用いた電子決済方法は、ネットワークを介して接続される広告仲介サーバと店舗端末とを用いた広告サウンドデータを用いた電子決済方法であって、
前記広告仲介サーバが広告サウンドデータと有効期間を店舗に対応付けて登録し、登録された広告サウンドデータと有効期間を該当店舗の前記店舗端末に配信するステップと、前記店舗端末が広告サウンドデータとともに受信した有効期間を基に年月日別に出力可能な広告サウンドデータを保存するステップと、同じ年月日に出力可能な広告サウンドデータが複数ある場合に、前記店舗端末が各広告サウンドデータの順序付けを行って出力ローテーションを生成，登録するステップと、ユーザによる商品購入時に前記店舗端末がユーザ所有の電子マネー記録媒体から電子マネー残高を読み取るステップと、前記店舗端末が読み取った電子マネー残高から決済金額を差し引き決済後の電子マネー残高を算出するステップと、決済後の電子マネー残高を前記店舗端末が前記電子マネー記録媒体に上書きするステップと、決済後残高の上書きが終了したときに、前記店舗端末が決済当日に出力可能な広告サウンドデータを前記出力ローテーションに基づいて取得，出力するとともに、決済終了情報を視認可能に表示するステップとを有することを特徴とする広告サウンドデータを用いた電子決済方法。
【００２６】
本発明の第１のプログラムは、外部装置から受信した広告サウンドデータを保存する機能、ユーザによる商品購入時にユーザ所有の電子マネー記録媒体から電子マネー残高を読み取る機能、読み取った電子マネー残高から決済金額を差し引き決済後の電子マネー残高を算出する機能、決済後の電子マネー残高を前記電子マネー記録媒体に上書きする機能、前記書き込み手段による決済後残高の上書きが終了したときに保存された広告サウンドデータを取得，出力する機能、をコンピュータに実現させる。
【００２７】
本発明の第２のプログラムは、外部装置から広告サウンドデータとともに受信した有効期間を基に年月日別に出力可能な広告サウンドデータを保存する機能、同じ年月日に出力可能な広告サウンドデータが複数ある場合に、各広告サウンドデータの順序付けを行って出力ローテーションを生成，登録する機能、ユーザによる商品購入時にユーザ所有の電子マネー記録媒体から電子マネー残高を読み取る機能、読み取った電子マネー残高から決済金額を差し引き決済後の電子マネー残高を算出する機能、決済後の電子マネー残高を前記電子マネー記録媒体に上書きする機能、決済後残高の上書きが終了したときに、決済当日に出力可能な広告サウンドデータを前記出力ローテーションに基づいて取得，出力するとともに、決済終了情報を視認可能に表示する機能、をコンピュータに実現させる。
【発明の効果】
【００２８】
本発明は、電子決済時における従来の決済終了確認音の代わりに広告サウンドデータを出力するようにした。これにより、決済の度に広告情報がユーザのみならず周辺に居る人にも聞こえることになるため、高い広告効果が得られる。
【発明を実施するための最良の形態】
【００２９】
本発明の実施の形態について図面を参照して詳細に説明する。
【００３０】
図１は、本発明の第１の実施の形態の構成を示す図であり、携帯端末１０と、店舗端末２０と、広告仲介サーバ３０と、店舗端末２０，広告仲介サーバ３０間を接続するインターネット等のネットワーク１００とを備えている。
【００３１】
携帯端末１０は、商品を購入するユーザが携帯する携帯電話機，ＰＨＳ(Personal Handyphone System)，ＰＤＡ(Personal Digital Assistance)等の携帯情報端末である。この
携帯端末１０は電子マネーによる決済を行うための非接触型ＩＣチップを内蔵しており、プログラムにより動作を制御される。
【００３２】
店舗端末２０は、コンビニエンスストア等の店舗に設置されたレジスターやＰＯＳ(Point Of Sales)端末等の情報処理装置であり、ＩＣリーダライタ２１と、入力部２２と、スピーカ２３と、表示部２４と、制御部２５と、記憶部２６とを備えている。ＩＣリーダライタ２１は、ＩＣカードや携帯端末１０内蔵のＩＣチップ等の電子マネー記録媒体との間で非接触通信による情報の読み取り，書き込みを行う機能を備えている。入力部２２はテンキー，機能キー，ポインティングデバイスやバーコードスキャナ等の入力装置であり、スピーカ２３は音楽，音声やアラーム音等を出力し、表示部２４はＬＣＤ(Liquid Crystal Display)等の表示装置である。制御部２５はＣＰＵ(Central Processing Unit)等の制
御装置であり、プログラムにより動作を制御される。この制御部２５は、
・配信された広告サウンドデータと有効期間（広告サウンドデータを店舗端末２０から出力する期間）を基に、年月日別に出力可能な広告サウンドデータをリストアップし出力順序を決定，登録する機能、
・携帯端末１０との間で電子マネーによる決済処理を行う機能、
・決済終了時に、広告サウンドデータを決済終了確認音として出力する機能、
・複数の広告サウンドデータを決済終了毎に所定の順序で一つずつ出力する機能、
を備えている。
【００３３】
記憶部２６は読み出し，書き込み可能な記憶装置であり、広告管理データベース２６１と、広告サウンドデータベース２６２とを含んでいる。広告管理データベース２６１には、図２（広告管理データベース２６１に格納されるデータの一例を示す図）に示すように、広告仲介サーバ３０から受信した広告サウンドデータ番号と有効期間が対応付けられて格納される。また、広告サウンドデータ番号が年月日別に順序付けられて登録されている。ここで、広告サウンドデータとは、決済終了時に従来の決済終了確認音に代えて出力する広告情報のことであり、例えば、ＣＭ（コマーシャル）ソング等の音楽データや、商品名，企業名等の音声データ等が含まれる。なお、図２において、○のマークは次の決済時に出力する広告サウンデータを意味しており、ここでは第２順位の広告サウンドデータが次の決済時に出力されることを表している。出力される広告サウンドデータは第１順位から第２順位，第３順位と決済終了毎に変わり、再劣位の第ｎ順位の次は再び第１順位に戻り、このローテーションによる出力を繰り返すことになる。○のマークも決済終了毎に次の順位の広告サウンドデータに制御部２５により移される。広告サウンドデータベース２６２には、図３（広告サウンドデータベース２６２に格納されるデータの一例を示す図）に示すように、広告サウンドデータが広告サウンドデータ番号と対応付けられて格納されている。
【００３４】
広告仲介サーバ３０は、広告仲介業者が備えるワークステーション・サーバ等の情報処理装置であり、制御部３１と、記憶部３２とを備えている。制御部３１はＣＰＵ等の制御装置であり、プログラムにより動作を制御される。この制御部３１は、ネットワーク１００上に広告募集サイトを開設して広告サウンドデータによる電子決済時の広告を募集する機能と、広告提供業者から登録された広告要求情報を基に該当店舗に広告サウンドデータと有効期間情報を送信する機能とを備えている。記憶部３２は読み出し，書き込み可能な記憶装置であり、店舗一覧データベース３２１と、広告登録データベース３２２と、店舗端末アドレスデータベース３２３とを含んでいる。店舗一覧データベース３２１には、図４（店舗一覧データベース３２１に格納されるデータの一例を示す図）に示すように、広告仲介業者が扱う店舗の店舗名，住所，販売商品分野，一日当たりの平均来店者数等が格納されている。これらの情報は、ネットワーク１００上の広告募集サイトにおいて広告提供業者の閲覧に供される。広告登録データベース３２２には、図５（広告登録データベース３２２に格納されるデータの一例を示す図）に示すように、店舗名，広告サウンドデータ番号，広告サウンドデータ，有効期間，広告提供業者情報等が格納されている。これは、どの広告提供業者が、どの広告サウンドデータを、いつからいつまでの期間、どの店舗で出力させるかを登録したものである。店舗端末アドレスデータベース３２３には、図６（店舗端末アドレスデータベース３２３に格納されるデータの一例を示す図）に示すように、店舗名対応に店舗端末２０のアドレスが予め登録されている。電子決済を行う店舗端末２０が一つの店舗に複数ある場合は、店舗名に対応して複数の店舗端末２０のアドレスが登録される。なお、広告仲介業者は複数の店舗と契約しており、広告仲介サーバ３０は複数の店舗端末２０に広告要求情報を配信するが、図１では店舗端末２０を一つだけ記載している。
【００３５】
次に、本発明の第１の実施の形態の動作について図１〜図７を参照して説明する。なお、図７は本発明の第１の実施の形態の動作を示すフローチャートである。
【００３６】
最初に、広告仲介サーバ３０から店舗端末２０に広告サウンドデータを配信し、店舗端末２０が保存，管理する動作について説明する。
【００３７】
図７を参照すると、広告仲介サーバ３０がネットワーク１００上に開設した広告募集サイトにより、広告提供業者からの電子決済時における広告サウンドデータを募集する。この広告募集サイトにアクセスしてきた広告提供業者が店舗一覧の閲覧を要求すると、制御部３１は店舗一覧データベース３２１から広告仲介業者が扱う店舗の店舗名，住所，販売商品分野，一日当たりの平均来店者数等を取得して（図４参照）表示する。広告提供業者はこれらの情報を参照し、広告を依頼する場合は広告要求メニューを選択して、店舗名，広告サウンドデータ，有効期間，広告提供業者情報等の広告要求情報を入力する。広告サウンドデータは予め広告提供業者が作成しておいたものでもよいし、広告仲介業者に依頼して作成してもらうようにしてもよい。広告仲介サーバ３０の制御部３１は、広告提供業者により入力された広告要求情報を受信し広告登録データベース３２２に登録する。このとき、制御部３１は広告サウンドデータの識別番号（広告サウンドデータ番号）を生成し、広告要求情報と併せて登録する。広告サウンドデータ番号は他の広告サウンドデータと区別できる一意のものであればよい（図５参照）（ステップＡ１，Ａ２）。次に、制御部３１は、受信した広告要求情報に含まれる店舗に対応する店舗端末２０のアドレスを店舗端末アドレスデータベース３２３から取得する（図６参照）。そして、制御部３１は、広告サウンドデータ番号，広告サウンドデータと有効期間情報を店舗端末２０に送信する。このとき、該当店舗に対応する店舗端末２０が複数あれば複数の店舗端末２０に対して送信する（ステップＡ３）。
【００３８】
店舗端末２０の制御部２５は、受信した広告サウンドデータ番号と広告サウンドデータを対応付けて広告サウンドデータベース２６２に保存する（図３参照）。また、制御部２５は、受信した広告サウンドデータ番号と有効期間を対応付けて広告管理データベース２６１に保存する（図２参照）（ステップＡ４）。次に、制御部２５は、ステップＡ４で保存した広告サウンドデータ番号と有効期間情報を基に、年月日別に出力可能な広告サウンドデータ番号を広告管理データベース２６１に登録する。なお、同じ年月日対応に複数のサウンドデータ番号がある場合は、それらの順序付けを行う。この順序付けは、例えば、登録順でもよいし、サウンドデータ番号の番号順であってもよい。このようにして、図２に示すように、第１順位〜第ｎ順位までの広告サウンドデータ番号が登録され、出力ローテーションが決定する（ステップＡ５）。
【００３９】
次に、店舗端末２０における電子決済時の動作について説明する。
【００４０】
ユーザが店舗で買い物をし、その決済を携帯端末１０内蔵の電子マネーで行うものとする。店舗端末２０の制御部２５は、販売員が入力部２２から入力した商品の商品コードやバーコード情報を基に、図示しない商品情報データベースから商品名や価格を取得し、購入対象の商品の価格を合算して決済金額を算出し表示部２４に表示する（ステップＡ６）。次に、ユーザは携帯端末１０を店舗端末２０のＩＣリーダライタ２１の読み取り面にかざし、ＩＣリーダライタ２１は携帯端末１０内蔵のＩＣチップから電子マネー情報（電子マネー残高，携帯端末ＩＤ等）を非接触で読み取る（ステップＡ７）。制御部２５は、ＩＣリーダライタ２１が読み取った電子マネー残高が決済金額以上あるかを照合する（ステップＡ８）。電子マネー残高が決済金額未満であった場合は、スピーカ２３からのエラー確認音や表示部２４におけるエラー表示等の所定のエラー処理を行い、処理を終了する（ステップＡ９）。
【００４１】
電子マネー残高が決済金額以上であった場合は、制御部２５は電子マネー残高から決済金額を差し引くことにより決済後の電子マネー残高を算出する（ステップＡ１０）。そして、制御部２５は決済後の新たな電子マネー残高を携帯端末１０内蔵のＩＣチップに書き込む（上書きする）（ステップＡ１１）。携帯端末１０は決済後の電子マネー残高をＩＣチップに保存する（ステップＡ１２）。
【００４２】
携帯端末１０への決済後残高の上書きが終了すると、制御部２５は決済終了確認音として今回出力する広告サウンドデータを取得する。詳細には、制御部２５は図示しない時計部から現在年月日情報を取得し、広告管理データベース２６１から現在年月日対応に登録された広告サウンドデータ番号を出力ローテーションに基づいて取得する。図２を参照すると、第２順位の広告サウンドデータ番号のところに○がマークされているため、この第２順位の広告サウンドデータ番号を取得する。そして、制御部２５は広告サウンドデータベース２６２を参照し、第２順位の広告サウンドデータ番号対応に登録されている広告サウンドデータを取得する（ステップＡ１３）。その後、制御部２５は取得した広告サウンドデータをスピーカ２３から出力させる（ステップＡ１４）。また、制御部２５は決済終了情報（決済が終了した旨の表示、決済金額，決済後の電子マネー残高等）を生成し表示部２４に表示させる（ステップＡ１５）。次に、制御部２５は次回の電子決済時に出力する広告サウンドデータを設定する。詳細には、広告管理データベース２６１において、現在年月日対応に登録された広告サウンドデータ番号に付された○のマークを次の順位（今回は第２順位であったため、第３順位の広告サウンドデータ番号）に移す。このようにすることにより、それぞれの広告サウンドは均等な頻度で出力されることになる（ステップＡ１６）。最後に、制御部２５は、決済内容情報（携帯端末ＩＤ，決済金額等）を記憶部２６の図示しない領域に保存し、所定のタイミングで図示しない決済用ネットワークを介して決済処理を行う（ステップＡ１７）。
【００４３】
以上説明したように、本実施の形態においては、電子決済時における従来の決済終了確認音の代わりに広告サウンドデータを出力するようにした。これにより、決済の度に広告情報がユーザのみならず周辺に居る人にも聞こえることになるため、高い広告効果が得られる。
【００４４】
また、本実施の形態においては、各広告サウンドデータを店舗端末２０毎に出力ローテーションに基づいて管理，出力するようにしたため、各広告サウンドデータの出力頻度が店舗端末２０単位で均等化されるという効果が得られる。
【００４５】
次に、本発明の第２の実施の形態について説明する。
【００４６】
上述した第１の実施の形態においては、広告サウンドデータの管理と電子決済処理の両方を店舗端末２０が行っている。本実施の形態が第１の実施の形態と異なる点は、新たに店舗サーバを追加し、広告サウンドデータの管理は店舗サーバが、携帯端末１０との電子決済処理は店舗端末２０が、それぞれ行うようにした点である。
【００４７】
図８は、本発明の第２の実施の形態の構成を示す図である。第１の実施の形態の構成（図１）と異なる点は、
・店舗側に店舗サーバ４０をさらに備えた点、
・広告管理データベース２６１，広告サウンドデータベース２６２を、店舗端末２０から店舗サーバ４０に移し、広告管理データベース４２１，広告サウンドデータベース４２２として記憶部４２に含めた点、
・広告仲介サーバ３０の店舗端末アドレスデータベース３２３を店舗サーバアドレスデータベース３２４とし、店舗端末２０のアドレスの代わりに店舗サーバ４０のアドレスを格納した点、
であり、店舗端末２０と店舗サーバ４０はＬＡＮ(Local Area Network)２００等により接続される。
【００４８】
次に、本実施の形態の動作について図９および図７を参照して説明する。図９は、本発明の第２の実施の形態の動作を示すフローチャートである。
【００４９】
・図９のステップＢ１〜Ｂ２は、図７（第１の実施の形態の動作を示すフローチャート）のステップＡ１〜Ａ２と同じであるため、説明を省略する。
【００５０】
・次に、制御部３１は、受信した広告要求情報に含まれる店舗に対応する店舗サーバ４０のアドレスを店舗サーバアドレスデータベース３２４から取得する。そして、制御部３１は、広告サウンドデータ番号，広告サウンドデータと有効期間情報を店舗サーバ４０に送信する（ステップＢ３）。
【００５１】
・ステップＢ４〜Ｂ５は、図７のステップＡ４〜Ａ５における店舗端末２０の動作を店舗サーバ４０が代わって行う点が異なっている。詳細には、店舗端末２０，制御部２５，広告管理データベース２６１，広告サウンドデータベース２６２を店舗サーバ４０，制御部４１，広告管理データベース４２１，広告サウンドデータベース４２２にそれぞれ置き換える。この置き換え以外は図７と同じであるため、説明を省略する。
【００５２】
・ステップＢ６〜Ｂ１２は、図７のステップＡ６〜Ａ１２と同じであるため、説明を省略する。
【００５３】
・次に、制御部２５は決済終了確認のために今回出力する広告サウンドデータを店舗サーバ４０に要求する（ステップＢ１３）。店舗サーバ４０の制御部４１は図示しない時計部から現在年月日情報を取得し、広告管理データベース４２１から現在年月日対応に登録された広告サウンドデータ番号を出力ローテーションに基づいて取得する。図２を参照すると、第２順位の広告サウンドデータ番号のところに○がマークされているため、この第２順位の広告サウンドデータ番号を取得する。そして、制御部４１は広告サウンドデータベース４２２を参照し、第２順位の広告サウンドデータ番号対応に登録されている広告サウンドデータを取得し、店舗端末２０に送信する（ステップＢ１４）。その後、制御部４１は次回の電子決済時に出力する広告サウンドデータを設定する。詳細には、広告管理データベース４２１において、現在年月日対応に登録された広告サウンドデータ番号に付された○のマークを次の順位（今回は第２順位であったため、第３順位の広告サウンドデータ番号）に移す（ステップＢ１５）。一方、店舗端末２０の制御部２５はステップＢ１４で受信した広告サウンドデータをスピーカ２３から出力させる（ステップＢ１６）。また、制御部２５は決済終了情報（決済が終了した旨の表示、決済金額，決済後の電子マネー残高等）を生成し表示部２４に表示させる（ステップＢ１７）。次に、制御部２５は、決済内容情報（携帯端末ＩＤ，決済金額等）を店舗サーバ４０に送信する（ステップＢ１８）。店舗サーバ４０の制御部４１は受信した決済内容情報を記憶部４２の図示しない領域に蓄積，保存し、所定のタイミングで決済内容情報を図示しない決済用ネットワークを介して決済用コンピュータ等に送信する（ステップＢ１９）。
【００５４】
以上説明したように、本実施の形態においては、広告サウンドデータの管理を店舗サーバ４０が一括して行い、店舗端末２０は決済時に店舗サーバ４０から広告サウンドデータを取得するようにした。これにより、店舗端末２０には広告管理データベース２６１や広告サウンドデータベース２６２が不要となるという効果が得られる。これは、特に店舗に複数の店舗端末２０が設置されているような場合に効果が大きい。また、各広告サウンドデータの出力ローテーションを店舗サーバ４０が一括管理することで、各広告サウンドデータの出力頻度が店舗全体で均等化されるという効果が得られる。
【００５５】
次に、本発明の応用例，変形例等について説明する。
【００５６】
・上述した第１または第２の実施の形態において、電子決済の決済金額に対して所定の割引を行うようにしてもよい。この場合、図７のステップＡ６（第１の実施の形態），図９のステップＢ６（第２の実施の形態）において、商品価格合計に所定の割引率を適用して決済金額を算出することになる。
【００５７】
・上述した第１または第２の実施の形態において、各店舗では各広告サウンドデータのローテーションによる出力を管理し、各広告サウンドデータの出力頻度が均等になるように管理している。例えば、企業Ａ，Ｂ，Ｃの広告サウンドデータが有る店舗に提供登録された場合、企業Ａ→企業Ｂ→企業Ｃ→企業Ａというローテーションで電子決済時に広告サウンドデータが出力される。これに対し、広告サウンドデータの提供登録時に、各広告提供業者が広告サウンドデータ毎に重み付け登録を行うようにしてもよい。この重み付け登録とは、一回のローテーション中に何回同じ広告サウンドデータを含めるかを決定するものである。例えば、企業Ｂが重み付け２回を登録すると、広告仲介サーバ３０は広告サウンドデータとともに重み付け２回の情報を店舗端末２０（第１の実施の形態）や店舗サーバ４０（第２の実施の形態）に送信する。店舗端末２０では企業Ａ→企業Ｂ→企業Ｂ→企業Ｃ→企業Ａというローテーションで電子決済時に広告サウンドデータが出力される。
【００５８】
・上述した第１または第２の実施の形態において、電子決済時に広告サウンドデータを出力するとして説明したが、広告サウンドデータと従来の電子音（シャリーン等）を組みあわせて出力するようにしてもよい。この場合は、予め所定の電子音を店舗端末２０（第１の実施の形態）や店舗端末２０または店舗サーバ４０（第２の実施の形態）に登録しておき、店舗端末２０からの出力時に、電子音→広告サウンドデータの順で出力する。こうすることにより、慣れている従来の決済終了確認音による決済終了認識がなされるととともに、広告サウンドデータも併せて聞かせられるという効果が得られる。
【００５９】
・上述した第１または第２の実施の形態において、携帯端末１０は電子マネー対応のＩＣチップを内蔵しているとして説明したが、ＩＣチップの代わりにＩＣカードであってもよい。
【図面の簡単な説明】
【００６０】
【図１】本発明の第１の実施の形態の構成を示す図である。
【図２】広告管理データベース２６１に格納されるデータの一例を示す図である。
【図３】広告サウンドデータベース２６２に格納されるデータの一例を示す図である。
【図４】店舗一覧データベース３２１に格納されるデータの一例を示す図である。
【図５】広告登録データベース３２２に格納されるデータの一例を示す図である。
【図６】店舗端末アドレスデータベース３２３に格納されるデータの一例を示す図である。
【図７】本発明の第１の実施の形態の動作を示すフローチャートである。
【図８】本発明の第２の実施の形態の構成を示す図である。
【図９】本発明の第２の実施の形態の動作を示すフローチャートである。
【符号の説明】
【００６１】
１０    携帯端末
２０    店舗端末
２１    ＩＣリーダライタ
２２    入力部
２３    スピーカ
２４    表示部
２５    制御部
２６    記憶部
２６１    広告管理データベース
２６２    広告サウンドデータベース
３０    広告仲介サーバ
３１    制御部
３２    記憶部
３２１    店舗一覧データベース
３２２    広告登録データベース
３２３    店舗端末アドレスデータベース
３２４    店舗サーバアドレスデータベース
４０    店舗サーバ
４１    制御部
４２    記憶部
４２１    広告管理データベース
４２２    広告サウンドデータベース
１００    ネットワーク
２００    ＬＡＮ
【図１】
2007241708.tif 000003
【図２】
2007241708.tif 000004
【図３】
2007241708.tif 000005
【図４】
2007241708.tif 000006
【図５】
2007241708.tif 000007
【図６】
2007241708.tif 000008
【図７】
2007241708.tif 000009
【図８】
2007241708.tif 000010
【図９】
2007241708.tif 000011